(57)【要約】      （修正有）【課題】人手作業による加工工数を減らしてコイル巻装が行え、併せてコイル口出線とリード線との接続が簡単な差込み操作で接続できるようにコイルの端子構造を改良した電磁接触器のコイルユニット、およびその組立方法を提供する。【解決手段】一対の端子金具１９に圧入基部１９ａ、コイルの口出線を絡げる接続アーム１９ｂ、およびリード線の接続子に対応する差込式のタブ端子１９ｃを形成し、ボビン１５の鍔部１５ｃに圧入装着した上で、コイル巻き始め側の口出線を一方の端子金具１９に絡げ、この状態で自動巻線機を使用してボビン１５にコイル１６を巻装する。また、コイル巻き終わり側の口出線は他方の端子金具のコイル接続アームに絡げる。次に、端子金具１９に絡げた口出し線を半田付け処理し、さらに端子金具１９のタブ端子１９ｃに直列結線用，外部接続用リード線の接続子を差込み接続してダブルコイルユニットを組み立てる。【選択図】図１
2010073519.tif 000002
【特許請求の範囲】
【請求項１】
鍔付きボビンにコイルを巻装して操作用電磁石の固定鉄心の脚部に装着した電磁接触器のコイルユニットにおいて、
前記ボビンの鍔部にコイルの巻き始め，巻き終わり側の口出線と個々に対応する一対の端子金具を圧入装着し、かつ前記端子金具には圧入基部、コイルの口出線を絡げるコイル接続アーム、およびリード線の接続子に対応する差込式のタブ端子を形成したことを特徴とする電磁接触器のコイルユニット。
【請求項２】
請求項１に記載のコイルユニットにおいて、ボビンの鍔部に連ねてその周縁２箇所に端子金具を装着する圧入溝付きの端子金具取付座を形成したことを特徴とする電磁接触器のコイルユニット。
【請求項３】
請求項１に記載のコイルユニットの組立方法であり、ボビンの鍔部に一対の端子金具を圧入装着する工程と、一方の端子金具に形成したコイル接続アームにコイル巻き始め側の口出線を絡げた上で、ボビンにコイルを巻装する工程と、コイル巻き終わり側の口出線を他方の端子金具に形成したコイル接続アームに絡げる工程と、端子金具のコイル接続アームに絡げた口出し線を半田付けする工程と、端子金具のタブ端子にリード線の接続子を差込み接続する工程を経てコイルユニットを組み立てることを特徴とする電磁接触器のコイルユニット組立方法。
【請求項４】
請求項１に記載の構成になる２組の単体コイルユニットを左右に並べて連結した上で、各単体コイルユニットのコイル巻き終わり側の口出線に対応する端子金具のタブ端子間に直列結線用のリード線を接続し、さらに各単体コイルユニットのコイル巻き始め側の口出し線に対応する端子金具のタブ端子にそれぞれ外部接続用のリード線を接続してダブルコイルユニットを構成したことを特徴とする電磁接触器のコイルユニット。
【発明の詳細な説明】
【技術分野】
【０００１】
この発明は、電磁接触器に搭載した操作用電磁石のコイルユニットに関し、詳しくはボビンに巻装したコイルの端子構造、およびこの端子構造を採用したコイルユニットの組立方法に係わる。
【背景技術】
【０００２】
電磁接触器の主回路接点を開閉する操作用電磁石のコイルユニットは、ボビンにコイルを巻装した組立体をＥ形固定鉄心の中央脚に装着したシングル形のコイルユニットが一般的である。そのほか、コイルユニットを２組の単体コイルユニットに別けてＵ形固定鉄心の左右脚に装着し、かつ各単体コイルユニットのコイルを直列に結線して操作回路に接続したダブルコイルユニット（ＤＣ励磁方式）が知られている（非特許文献１参照）。
【０００３】
ここで、操作用電磁石に前記ダブルコイルユニットを搭載した電磁接触器、およびそのダブルコイルユニットの従来構造を図８〜図１０に示す。まず、図８（ａ）〜（ｃ）において、１は下部ケース１ａ，上部ケース１ｂ，消弧室カバー１ｃの３分割構造になる電磁接触器の本体ケース、２，３は電源側，負荷側の主回路端子、４，５は固定接触子、６は橋絡型可動接触子、７は可動接触子ホルダー、８は操作用電磁石の可動鉄心、９はヨーク９ａと左右脚部９ｂ，９ｃからなる軟鉄製の２脚形固定鉄心、１０は可動鉄心８を釈放側にばね付勢するバックスプリング、１１は同一仕様になる２組の単体コイルユニット１１Ａと１１Ｂを組み合せて固定鉄心９の脚部９ｂ，９ｃに装着したダブルコイルユニット、１２はダブルコイルユニット１１のコイルに接続して引出したリード線（絶縁被覆線）、１３は操作回路のプリント板、１４は操作回路の外部端子である。なお、９ｂ−１，９ｃ−１は固定鉄心９の磁極板、１２ａはリード線１２をプリント板１３にプラグイン接続する接続子である。
【０００４】
次に、前記した単体コイルユニット１１Ａ，１１Ｂの組立構造を図９（ａ）〜（ｅ）に示す。この単体コイルユニット１１Ａ，１１Ｂはモールド樹脂製のボビン１５にコイル１６を巻装した構成になり、ボビン１５は筒部１５ａの上下端に鍔部１５ｂ，１５ｃを有し、鍔部１５ｂ，１５ｃの側縁には後記のように単体コイルユニット１１Ａと１１Ｂを連結する際に用いる係合タブ１５ｄ，係合突起１５ｅが形成されている。また、コイル１６は、コイル素線（例えば、エナメル銅線）をボビン１５の筒部１５ａに巻装し、その巻き始め，巻き終わり側の口出線１６ａ，１６ｂをボビン１５から引出した上で、外周面に絶縁テープ１７を巻き付けて構成されている。
【０００５】
前記の単体コイルユニット１１Ａ，１１Ｂにおいて、ボビン１５にコイル素線を巻き付けてコイル１６を巻装するには、最初にコイル巻き始め側の口出線１６ａをボビン１５の筒部１５ａの周面に押えテープ１８で仮止めした上で、自動巻線機により筒部１５ａにコイル１６を巻装する。また、コイル巻き終わり側の口出線１６ｂも前記と同様に押えテープ１８で仮止めし、最後にコイル１６の外周に絶縁テープ１７を巻き付けて単体コイルユニット１１Ａ，１１Ｂが完成する。
【０００６】
次に、前記した２組の単体コイルユニット１１Ａ，１１Ｂを左右に組合せたダブルコイルユニット１１の組立構造を図１０（ａ）〜（ｄ）に示す。すなわち、単体コイルユニット１１Ａと１１Ｂは図示のようにボビン１５の上下鍔部１５ｂ，１５ｃを左右から突き合わせ、前記の結合タブ１５ｄを相手側の係合突起１５ｅに掛け止めしてボビン１５同士を連結した上で、図１０（ｄ）の結線図で表すように単体コイルユニット１１Ａ，１１Ｂのコイル巻き終わり側の口出線１６ｂ同士を互いに撚り合わせて半田付けする（Ｗ：半田）。また、コイル巻き始め側の口出線１６ａには外部接続用リード線１２の素線を撚り合わせて半田付けする。さらに、前記口出線１６ａ，１６ｂの半田接合部を覆うように、単体コイルユニット１１Ａ，１１Ｂの各コイル１６を一括してその外周には絶縁テープ１７を巻き付けてコイルを被覆絶縁する。
【０００７】
その後に、前記ダブルコイルユニット１１の組立体は図８で述べたように固定鉄心９の脚部９ｂ，９ｃに嵌挿装着して電磁接触器の下部ケース１ａに組み付けた上で、リード線１２の接続子１２ａをプリント板１３の回路に接続する。
【非特許文献１】“電磁接触器の構造と各部名称，ＳＣ−Ｎ６”、(online)富士電機テクニカ株式会社、[平成２０年８月３０日検索]、インターネット＜ＵＲＬ：http://www.fe-technica.co.jp/html/shohin/41/pdf/AH294_P1_10-17.pdf＞
【発明の開示】
【発明が解決しようとする課題】
【０００８】
ところで、前記した従来構造のコイルユニットは、組立性で次記のような問題がある。
（１）単体コイルユニット１１Ａ，１１Ｂの組立について、ボビン１５にコイル１６を巻装する工程でコイルの巻き始め，巻き終わり側の口出線１６ａ，１６ｂを押えテープ１８で仮止めする面倒な人手作業が必要となる。
（２）また、２組の単体コイルユニット１１Ａ，１１Ｂを連結してダブルコイルユニット１１を構成する組立工程では、各ユニットのコイル巻き終わり側の口出線１６ｂ同士、および巻き始め側の口出線１６ａとリード線１２とをそれぞれ人手作業により撚り合わせて半田付けする手間のかかる加工工程が必要となる。
【０００９】
そのために、コイルユニットの組立には人手作業による加工工数が多く、製品がコスト高となる。
この発明は上記の点に鑑みなされたものであり、その目的は人手作業による加工工数を減らしてコイル巻装が行え、併せてコイルの口出線とリード線との接続には半田付けを必要とせずに、簡単なワンタッチの差込操作で接続できるようにコイルの端子構造を改良した電磁接触器のコイルユニット、およびその組立方法を提供することにある。
【課題を解決するための手段】
【００１０】
上記目的を達成するために、この発明によれば、鍔付きボビンにコイルを巻装して操作用電磁石の固定鉄心の脚部に装着した電磁接触器のコイルユニットにおいて、
前記ボビンの鍔部にコイル巻き始め，巻き終わり側の口出線と個々に対応する一対の端子金具を圧入装着し、かつ端子金具には圧入基部、コイルの口出線を絡げるコイル接続アーム、およびリード線の接続子に対応する差込式のタブ端子を形成する（請求項１）。
【００１１】
また、前記端子金具を圧入装着するために、ボビンには、その鍔部に連ねてその周縁２箇所に端子金具を装着する圧入溝付きの端子金具取付座を形成する（請求項２）。
そして、前記構成になるコイルユニットの組立方法は、ボビンの鍔部に一対の端子金具を圧入装着する工程と、一方の端子金具に形成したコイル接続アームにコイル巻き始め側の口出線を絡げた上で、ボビンにコイルを巻装する工程と、コイル巻き終わり側の口出線を他方の端子金具に形成したコイル接続アームに絡げる工程と、端子金具のコイル接続アームに絡げた口出し線を半田付けする工程と、端子金具のタブ端子にリード線の接続子を差込み接続する工程を経てコイルユニットを組み立てるものとする（請求項３）。
【００１２】
さらに、この発明では、前記構成になる単体コイルユニットの２組を左右に並べて連結した上で、各単体コイルユニットのコイル巻き終わり側の口出線に対応する端子金具のタブ端子間に直列結線用のリード線を接続し、さらに各単体コイルユニットのコイル巻き始め側の口出し線に対応する端子金具のタブ端子にそれぞれ外部接続用のリード線を接続してダブルコイルユニットを構成する（請求項４）。
【発明の効果】
【００１３】
上記したこの発明によるコイルユニットによれば、ボビンにコイルを巻装する際に、コイル巻き始め，巻き終わり側の口出線を一本ずつテープで仮止めする面倒な人手作業が必要なく、あらかじめボビンの鍔部に圧入装着した端子金具の接続アームに口出し線の先端を絡げるだけで、そのまま自動巻線機にセットしてコイルを巻装することができる。
また、コイルの巻装後に、前記口出線にリード線を接続する工程でも、従来のように接続相手の素線同士を撚り合わせた上で半田接合する手間のかかる人手作業が必要なく、前記接続端子に形成したタブ端子にリード線の接続子を差込むだけでのワンタッチ操作で簡単にリード線との接続が行える。これにより、人手作業による加工工数を削減してコイルユニットの製作コストを従来構造に比べて低減できる。
【００１４】
さらに、２組の単体コイルユニットを左右に連結して構成するダブルコイルユニットについても、直列結線用リード線，外部接続用リード線に取り付けた差込式の接続子を各単体コイルユニットの端子金具に形成したタブ端子に差し込むだけで、半田付け作業が必要なく、これによりダブルコイルユニットの組立性改善が図れる。
【発明を実施するための最良の形態】
【００１５】
以下、図８の電磁接触器に搭載した操作用電磁石に適用するダブルコイルユニットを対象に、この発明の実施の形態を図１〜図７に示す実施例に基づいて説明する。なお、図１（ａ），（ｂ）は単体コイルユニットのボビン，および該ボビンに圧入装着する端子金具の構造図、図２（ａ），（ｂ）は図１（ａ）の平面図，および側面図、図３，図４はそれぞれ図１（ａ）における矢視Ａ部の端子金具装着前，装着後の状態を表す拡大図、図５（ａ）〜（ｄ）は２組の単体コイルユニットを組合せて構成したダブルコイルユニットの組立，結線図、図６（ａ），（ｂ）はコイルの口出線に接続する直列結線用，外部接続用のリード線、図７（ａ）〜（ｃ）は図６に示したリード線の接続子，端子の構造図であり、図９，図１０に対応する同一部材には同じ符号を付してその詳細な説明は省略する。
【００１６】
すなわち、この実施例では、図１（ａ）に示すボビン１５の鍔部（下）１５ｃに一対の端子金具１９（図１（ｂ）参照）を圧入装着し、この端子金具１９の一方にコイル１６巻き始め側の口出線１６ａを絡げて仮止めした上で、自動巻線機によりコイル１６を巻装する。また、コイル巻装後はコイル巻き終わり側の口出線１６ｂを他方の端子金具１９に絡げた上で、コイル口出線１６ａ，１６ｂを端子金具１９に半田付けして単体コイルユニット１１Ａ，１１Ｂを組み立てる。
【００１７】
次に、前記した２組の単体コイルユニット１１Ａと１１Ｂのボビン１５を、図５（ａ），（ｂ）で示すように突き合わせて連結した上で、単体コイルユニット１１Ａ，１１Ｂの端子金具１９に形成したタブ端子１９ｃに直列結線用リード線２０，外部接続用リード線２１（図６（ａ），（ｂ）参照）の接続子２２（図７（ａ），（ｂ）参照）を差込み接続し、図５（ｄ）の結線図で表すように単体コイルユニット１１Ａと１１Ｂのコイル同士を直列に接続してダブルコイルユニット１１を組み立てる。
【００１８】
次に、前記した端子金具１９の詳細構造、およびボビン１５への圧入装着について説明する。まず、図１（ａ），図２（ａ）のようにボビン１５の鍔部（下）１５ｃには、結合タブ１５ｄと反対側の左右コーナーに振り分けて端子金具１９を圧入装着するための端子金具取付座１５ｆ，および該取付座１５ｆの後壁に開口したＬ形の圧入溝１５ｆ−１（図３参照）が形成されている。
【００１９】
一方、図１（ｂ）で示すように、端子金具１９には前記圧入溝１５ｆ−１の形状に対応したＬ形に屈曲した圧入基部１９ａ、該圧入基部１９ａから前方に突出したコイル接続アーム１９ｂ、および後記するリード線２０，２１の接続子２２を差込み接続するタブ端子１９ｃ、さらに前記圧入基部１９ａの端縁に抜け止め用の歯列１９ｄが形成されている。
この端子金具１９は図１（ａ）で表すように側方からボビン１５の端子金具取付座１５ｆに差込み、圧入基部１９ａを圧入溝１５ｆ−１に圧入して所定位置に固着しておく。
【００２０】
そして、前記ボビン１５を自動巻線機にセットしてコイル１６を巻装する際には、最初にコイル巻き始め側の口出線１６ａを一方の端子金具１９のコイル接続アーム１９ｂに数回絡げて仮止めし、この状態でコイル素線をボビン１５の筒部１５ａの外周に巻装する。また、コイル１６の巻装後は巻き終わり側の口出線１６ｂを他方の端子金具１９のコイル接続アーム１９ｂに絡げて仮止めし、続く半田付け工程でコイル口出線１６ａ，１６ｂの仮止め部を半田付けして端子金具１９から外れないように接合する。これで単体コイルユニット１１Ａ，１１Ｂの組立が完成する。
【００２１】
次に、ダブルコイルユニット１１の組立工程では、図１０で述べた従来構造と同様に、まず単体コイルユニット１１Ａと１１Ｂのボビン１５を図５（ａ），（ｂ）のように左右から突き合わせ、その鍔部１５ｂ，１５ｃに形成した結合タブ１５ｄを相手側の係合突起１５ｅに引っ掛けて連結する。また、単体コイルユニット１１Ａのコイル１６と単体コイルユニット１１Ｂのコイル１６とを一体に結束するように、両コイルユニットに跨がってコイル１６の外周に絶縁テープを数回巻き付けておく。
【００２２】
この組立状態で、次に単体コイルユニット１１Ａと１１Ｂのコイル１６を直列に結線するように、各コイル巻き終わり側の口出線１６ｂに対応する端子金具１９のタブ端子１９ｃの間に跨がり、直列結線用のリード線２０（図６（ａ）参照）の両端に取付けた接続子２２（図７（ａ），（ｂ）参照）を差し込んで図５（ｃ）の結線図で表すように双方のコイルを直列に接続する。
【００２３】
さらに、単体コイルユニット１１Ａ，１１Ｂのコイル巻き始め側の口出線１６ａに接続した端子金具１９のタブ端子１９ｃにそれぞれ外部接続用リード線２１（図６（ｂ）参照）に結合した接続子２２を差込み接続し、これでダブルコイルユニット１１の組立体が完成する。なお、外部接続用リード線２１の他端には電磁接触器の制御端子（ネジ付き端子）に接続する圧着端子２３（図７（ｃ）参照）が取付けてある。このダブルコイルユニット１１は、従来と同様に操作用電磁石の固定鉄心（２脚鉄心）に装着して電磁接触器に組み込まれる。
【００２４】
上記の説明からも明らかなように、図示実施例のダブルコイルユニット１１は、図９，図１０で述べた従来構造のように単体コイルユニット１１Ａ，１１Ｂごとにそのコイル巻装に際してコイル巻き始め，巻き終わり側の口出線１６ａ，１６ｂを押えテープ１８で仮止めする面倒な人手作業が必要なく、コイル１６の口出線１６ａ，１６ｂを端子金具１９に形成したコイル接続アーム１９ｃに絡げるだけで自動巻線機を使用してコイル巻装が行える。
【００２５】
また、単体コイルユニット１１Ａと１１Ｂのコイル１６を直列に結線したり、コイル巻き始め側に外部接続用のリード線を接続する際にも、互いに接続する素線同士を撚り合わせて半田付けするなどの手間の掛かる手作業が必要なく、直列結線用リード線２０，外部接続用リード線２１の接続子２２を端子金具１９のタブ端子１９ｃに差込むだけのワンタッチ操作で簡単にリード線の接続が行える。これにより、従来構造と比べて人手作業による加工工数を削減して大幅なコストダウンが図れる。
【００２６】
なお、図示実施例は２組の単体コイルユニットを組合せて構成したダブルコイルユニットについて述べたが、ボビン１５の鍔部に圧入装着した端子金具１９の構造、およびこの端子金具１９を採用したコイルユニットの組立方法、さらに端子金具１９のタブ端子１９ｃにリード線の接続子２２を差込み接続するこの発明による配線構造は、操作用電磁石のＥ形固定鉄心の中央脚に装着するシングル形のコイルユニットにも実施適用できることは勿論である。
【図面の簡単な説明】
【００２７】
【図１】この発明の実施例による単体コイルユニットの構成図で、（ａ）はボビンの斜視図、（ｂ）は（ａ）のボビンに圧入装着する端子金具の斜視構造図
【図２】図１（ａ）に示した単体コイルユニットの外形図で、（ａ），（ｂ）はそれぞれ平面図，および側面図
【図３】図１（ａ）の矢視Ａ部で表す端子金具取付座の拡大図
【図４】図３の端子金具取付座に図１（ｂ）の端子金具を圧入装着した状態を表す拡大図
【図５】図１に示した単体コイルユニットの２組を左右に組合せたダブルコイルユニットの構成図で、（ａ）は平面図、（ｂ）は側面図、（ｃ）はコイルユニットの結線図
【図６】図５のダブルコイルユニットに適用するリード線で、（ａ）は直列結線用リード線、（ｂ）は外部接続用リード線の構成図
【図７】図６（ａ），（ｂ）のリード線の両端に設けた接続子，接続端子の構造図で、（ａ）は各リード線に圧着した接続子の平面図、（ｂ）は（ａ）の接続子の斜視図、（ｃ）は外部接続用リード線に圧着した端子の斜視図
【図８】ダブルコイルユニット型の操作用電磁石を搭載した電磁接触器の構成図で、（ａ）は電磁接触器全体の縦断面図、（ｂ）は（ａ）における操作用電磁石部分の平面図、（ｃ）は（ｂ）の縦断面図
【図９】図８のダブルコイルユニットを構成する単体コイルユニットの従来における組立構造図で、（ａ）はコイルを巻装した状態の斜視図、（ｂ）はボビンの斜視図、（ｃ）は（ａ）のコイル部横断面図、（ｄ），（ｅ）はそれぞれボビンにコイル巻き始め，巻き終わり側の口出線をテープで仮止めした状態を表す側面図
【図１０】図９に示した単体コイルユニットの２組を連結して組立てたダブルコイルユニットの従来構造図で、（ａ）は平面図、（ｂ）は側面図、（ｃ）は正面図、（ｄ）はコイルユニットの結線図
【符号の説明】
【００２８】
１    電磁接触器の本体ケース
９    操作用電磁石の固定鉄心
１１    ダブルコイルユニット
１１Ａ，１１Ｂ  単体コイルユニット
１５    ボビン
１５ａ  筒部
１５ｃ  鍔部（下）
１５ｆ  端子金具取付座
１５ｆ−１  圧入溝
１６    コイル
１６ａ  巻き始め側の口出線
１６ｂ  巻き終わり側の口出線
１９    端子金具
１９ａ  圧入基部
１９ｂ  コイル接続アーム
１９ｃ  タブ端子
２０    直列結線用リード線
２１    外部接続用リード線
２２    接続子
【図１】
2010073519.tif 000003
【図２】
2010073519.tif 000004
【図３】
2010073519.tif 000005
【図４】
2010073519.tif 000006
【図５】
2010073519.tif 000007
【図６】
2010073519.tif 000008
【図７】
2010073519.tif 000009
【図８】
2010073519.tif 000010
【図９】
2010073519.tif 000011
【図１０】
2010073519.tif 000012